(57)【要約】【課題】防水性に優れた照明装置を提供する。【解決手段】照明装置１は、有底筒状の１つの収容体３１と、収容体３１を支持するアーム部７と、収容体３１に収容される発光モジュール１３３と、発光モジュール１３３よりも収容体３１の底側に収容され、発光モジュール１３３に電力を供給する電源部３２と、発光モジュール１３３と電源部３２との間を仕切るように発光モジュール１３３及び電源部３２を保持し、かつ、収容体３１に保持される取付部材１３１とを備える。【選択図】図３
2020098729.tif 000002
【特許請求の範囲】
【請求項１】
有底筒状の１つの収容体と、
前記収容体を支持するアーム部と、
前記収容体に収容される発光モジュールと、
前記発光モジュールよりも前記収容体の底側に収容され、前記発光モジュールに電力を供給する電源部と、
前記発光モジュールと前記電源部との間を仕切るように前記発光モジュール及び前記電源部を保持し、かつ、前記収容体に保持される取付部材とを備える
照明装置。
【請求項２】
前記取付部材の熱伝導率は、前記収容体の熱伝導率以上である
請求項１に記載の照明装置。
【請求項３】
前記発光モジュールは、光源が実装され、かつ、前記取付部材に保持される基板を有し、
前記取付部材の熱伝導率は、前記基板の熱伝導率以上である
請求項１又は２に記載の照明装置。
【請求項４】
前記電源部は、前記取付部材と対向し、かつ、前記取付部材に近づくように突出する突出部を有し、
前記突出部が前記取付部材と直接的又は間接的に係合することで、前記電源部と前記取付部材との間には、空気層が形成される
請求項１〜３のいずれか１項に記載の照明装置。
【請求項５】
さらに、
前記発光モジュールが発する光を透過させる光学部材と、
前記光学部材を透過した光を透過させる透光カバーとを備える
請求項１〜４のいずれか１項に記載の照明装置。
【請求項６】
前記光学部材は、フレネルレンズである
請求項５に記載の照明装置。
【請求項７】
さらに、人の存在の有無を検知する人感センサ、及び、周囲の照度を検知する照度センサのうちの少なくとも一方と、
前記発光モジュールの点灯状態を制御する照明制御部とをさらに備え、
前記人感センサが人の存在の有無を検知した場合、前記照明制御部は、前記発光モジュールの点灯及び消灯を制御し、
前記照度センサが周囲の照度を検知した場合、前記照明制御部は、前記発光モジュールが発する光の明るさを制御する
請求項１〜６のいずれか１項に記載の照明装置。
【発明の詳細な説明】
【技術分野】
【０００１】
本開示は、照明装置に関する。
【背景技術】
【０００２】
従来の照明装置として特許文献１には、前半部を構成する前側外筒体、及び、後半部を構成する後側外筒体によって構成されるセードと、前側外筒体に取り付けられる光源ユニットと、後側外筒体に収容される電極ユニットとを備える照明器具が開示されている。
【先行技術文献】
【特許文献】
【０００３】
【特許文献１】特開２０１８−１６６０２６号公報
【発明の概要】
【発明が解決しようとする課題】
【０００４】
従来の照明装置では、前側外筒体と後側外筒体とをネジによって締結し、パッキンを設けることで、締結部分からの水の侵入を抑制している。しかし、この締結部分にパッキンを設けても、照明装置を組み立てる際に第１収容体と第２収容体との締結力が弱ければ、締結部分から水が浸入してしまうことがある。
【０００５】
そこで、防水性に優れた照明装置を提供することを目的とする。
【課題を解決するための手段】
【０００６】
上記目的を達成するために、本開示に係る照明装置の一態様は、有底筒状の１つの収容体と、前記収容体を支持するアーム部と、前記収容体に収容される発光モジュールと、前記発光モジュールよりも前記収容体の底側に収容され、前記発光モジュールに電力を供給する電源部と、前記発光モジュールと前記電源部との間を仕切るように前記発光モジュール及び前記電源部を保持し、かつ、前記収容体に保持される取付部材とを備える。
【発明の効果】
【０００７】
本開示に係る照明装置は、防水性に優れる。
【図面の簡単な説明】
【０００８】
【図１】図１は、実施の形態に係る照明装置を例示する斜視図である。
【図２Ａ】図２Ａは、実施の形態に係る照明装置を例示する分解斜視図である。
【図２Ｂ】図２Ｂは、実施の形態に係る照明装置を例示する分解斜視図である。
【図３】図３は、図１のＩＩＩ−ＩＩＩ線における照明装置の断面を例示する断面図である。
【図４】図４は、実施の形態に係る照明装置を例示するブロック図である。
【発明を実施するための形態】
【０００９】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００１０】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００１１】
まず、本実施の形態に係る照明装置について説明する。
【００１２】
（実施の形態）
［構成］
図１は、実施の形態１に係る照明装置１を例示する斜視図である。図１では、照明装置１において、電源部３２に対する透光カバー３５の方向をＸ軸プラス方向と規定し、筐体１５０に対する灯具３の方向をＺ軸プラス方向と規定し、Ｘ軸プラス方向及びＺ軸プラス方向と交差する方向をＹ軸プラス方向と規定する。そして、図２Ａ以降の各図に示す各方向は、図１に示す各方向に対応させて表示する。
【００１３】
［照明装置１］
図１に示すように、照明装置１は、天井、壁等の造営材に取り付けられる装置である。例えば、照明装置１は、スポットライト、シーリングライト等である。照明装置１は、所定の方向に向けて光を照射することで所定方向を照明することができる装置である。
【００１４】
図２Ａは、実施の形態に係る照明装置１を例示する分解斜視図である。図２Ｂは、実施の形態に係る照明装置１を例示する分解斜視図である。図２Ａ及び図２Ｂに示すように、照明装置１は、灯具３と、アーム部７と、取付板１６０と、筐体１５０と、ネジ部材７０とを備える。
【００１５】
［灯具３］
灯具３は、アーム部７の他端部に固定され、照明する光を発する器具である。灯具３は、収容体３１と、発光モジュール１３３と、取付部材１３１と、支持部材１３５と、光学部材３４と、透光カバー３５と、電源部３２とを備える。
【００１６】
収容体３１は、Ｘ軸方向に長尺な有底筒状の容器である。具体的には、収容体３１のＸ軸プラス方向側が開口し、収容体３１のＸ軸マイナス方向側が閉じている。収容体３１は、電源部３２、発光モジュール１３３、光学部材３４、透光カバー３５等をこの並び順で内部に収容する。
【００１７】
収容体３１は、内部に発光モジュール１３３を取付けるための取付部材１３１を支持する第１係止部３１ａを有する。第１係止部３１ａは、取付部材１３１を支持するために、取付部材１３１の外周端縁を支える爪片である。
【００１８】
また、収容体３１には、アーム部７の他端部と接続する支持アーム部が、収容体３１の外周に形成される。支持アーム部は、収容体３１のＸ軸マイナス方向側に形成され、アーム部７の第１導通孔と連通する図示しない第２導通孔が形成される。第２導通孔には、アーム部７の第１導通孔を挿通した配線８２ａが挿通される。
【００１９】
収容体３１は、金属製であり、例えば、アルミニウム、又は鉄等を主成分とした部材である。本実施の形態では、収容体３１は、例えばアルミダイカスト工程を経て形成される。収容体３１は、発光モジュール１３３から発生した熱を放熱するヒートシンクとして機能する。
【００２０】
発光モジュール１３３は、照明装置１が周囲を照明するための光を出射する。発光モジュール１３３は、光を放射状に発するＬＥＤ（Ｌｉｇｈｔ  Ｅｍｉｔｔｉｎｇ  Ｄｉｏｄｅ）を有するモジュールである。発光モジュール１３３は、収容体３１の内部形状（収容体３１をＸ軸プラス方向から見た場合の形状）に応じた形状に形成され、本実施の形態では円板状である。
【００２１】
発光モジュール１３３は、光源１３３ａと、実装基板１３３ｂとを有する。
【００２２】
光源１３３ａは、例えば白色光を出射するように構成される。具体的には、光源１３３ａは、ＣＯＢ（Ｃｈｉｐ  Ｏｎ  Ｂｏａｒｄ）型ＬＥＤで構成され、実装基板１３３ｂと、実装基板１３３ｂ上に実装されたベアチップ（ＬＥＤチップ）である複数の青色ＬＥＤと、それら青色ＬＥＤを封止し、黄色蛍光体を含む封止部材とを備える。
【００２３】
実装基板１３３ｂは、複数のＬＥＤを実装するための基板であり、円板状である。実装基板１３３ｂは、例えばセラミックス基板、樹脂基板又は絶縁被覆されたメタルベース基板等である。また、実装基板１３３ｂは、取付部材１３１に固定される。なお、実装基板１３３ｂには、ＬＥＤを発光させるために、直流電流を電源部３２から受電する一対の電極端子（正電極端子及び負電極端子）が形成される（不図示）。一対の電極端子には、電源部３２からのリード線が電気的に接続される。
【００２４】
発光モジュール１３３は、ネジ１３４によって取付部材１３１のＸ軸プラス方向側の面に固定される。発光モジュール１３３は、発光モジュール１３３の実装基板１３３ｂ（後述する）に形成された挿通孔１３３ｃ、及び、取付部材１３１に形成された第２ネジ孔１３１ｆに挿通されるネジ１３４によって取付部材１３１に固定される。発光モジュール１３３は、取付部材１３１よりも収容体３１の内部のＸ軸プラス方向側に配置される。
【００２５】
取付部材１３１は、平板状の金属製であり、例えば、アルミニウム、又は鉄等を主成分とした部材である。取付部材１３１の熱伝導率は、収容体３１の熱伝導率以上である。取付部材１３１の熱伝導率は、光源１３３ａを実装する実装基板１３３ｂの熱伝導率以上である。
【００２６】
取付部材１３１は、収容体３１の内部をＸ軸プラス方向側の第１収容空間３１ｂとＸ軸マイナス方向側の第２収容空間３１ｃとに仕切るように、収容体３１に保持される。言い換えれば、取付部材１３１は、発光モジュール１３３と電源部３２との間を仕切るように発光モジュール１３３及び電源部３２を保持する。取付部材１３１と電源部３２との間には、隙間が形成され、つまり空気層が形成される。これにより、電源部３２で熱が取付部材１３１に伝導され難い。
【００２７】
取付部材１３１は、２つの第１ネジ孔１３１ａと、配線孔１３１ｂと、第２ネジ孔１３１ｆと、係止爪部１３１ｃと、２つの第１切り欠き部１３１ｅとを有する。
【００２８】
２つの第１ネジ孔１３１ａは、取付部材１３１の中心軸に対して対称となる位置に形成される。２つの第１ネジ孔１３１ａは、支持部材１３５を取付部材１３１にネジ１３９で固定するためのネジ孔である。
【００２９】
配線孔１３１ｂは、電源部３２が発光モジュール１３３に直流電流を供給するためのリード線を保持するための貫通孔であり、電源部３２と発光モジュール１３３とを電気的に接続するリード線が挿通される。
【００３０】
第２ネジ孔１３１ｆは、発光モジュール１３３をネジ１３４で固定するためのネジ孔である。第２ネジ孔１３１ｆは、取付部材１３１の中心部分に形成される。第２ネジ孔１３１ｆの開口は、取付部材１３１の中心軸と重なる。第２ネジ孔１３１ｆは、実装基板１３３ｂに形成された挿通孔１３３ｃと対向する。挿通孔１３３ｃ及び第２ネジ孔１３１ｆを挿通するネジ１３４によって、取付部材１３１に発光モジュール１３３が取り付けられる。
【００３１】
係止爪部１３１ｃは、取付部材１３１の端縁側に形成され、電源部３２に近づく方向（Ｘ軸マイナス方向）に、取付部材１３１の一部が折り曲げられた立壁である。係止爪部１３１ｃには、第３ネジ孔１３１ｄが形成され、第３ネジ孔１３１ｄに挿通されたネジ１４１を介して電源部３２のＸ軸プラス方向側の突出部１３２と係合する。
【００３２】
２つの第１切り欠き部１３１ｅは、収容体３１の２つの第１係止部３１ａに一対一で係止されるために、取付部材１３１の端縁の一部が切り欠かれた部分である。つまり、各々の第１切り欠き部１３１ｅが収容体３１の各々の第１係止部３１ａに係止され、各々の第１切り欠き部１３１ｅに挿通されたネジ１３８が収容体３１の第１係止部３１ａに締結されることで、取付部材１３１は、Ｙ−Ｚ平面と略平行となる姿勢で支持される。
【００３３】
支持部材１３５は、ネジ１３９によって取付部材１３１に固定され、発光モジュール１３３の位置を規制するリング状のホルダである。支持部材１３５は、開口部１３５ｃと、２つの第４ネジ孔１３５ａと、２つのネジ１３８を避けるように切り欠かれた２つの第２切り欠き部１３５ｅとを有する。
【００３４】
開口部１３５ｃは、発光モジュール１３３を露出させるように、開口した部分である。２つの第４ネジ孔１３５ａは、支持部材１３５の中心軸に対して線対称となる位置に形成される。２つの第４ネジ孔１３５ａは、支持部材１３５を取付部材１３１にネジ１３９で固定するためのネジ孔である。具体的には、支持部材１３５と取付部材１３１とで発光モジュール１３３を挟んだ状態で、２つの第４ネジ孔１３５ａと２つの第１ネジ孔１３１ａとを挿通する２つのネジ１３９によって、支持部材１３５は、発光モジュール１３３を取付部材１３１に押さえつけるように、取付部材１３１に固定される。こうして、発光モジュール１３３が取付部材１３１に密着した状態で固定される。これにより、取付部材１３１は、発光モジュール１３３から発生した熱を効率よく収容体３１に伝導させる。支持部材１３５は、例えば、ＰＢＴ、ポリカーボネート等の樹脂材料である。
【００３５】
光学部材３４は、透光性の部材であり、発光モジュール１３３が発する光を透過させる。光学部材３４は、例えばアクリル樹脂（ＰＭＭＡ：Ｐｏｌｙｍｅｔｈｙｌ  ｍｅｔｈａｃｒｙｌａｔｅ）、ポリカーボネート等の透明樹脂材料、又は、ガラス材料等の透明材料によって形成される。
【００３６】
光学部材３４は、収容体３１の内部形状に応じた形状に形成され、円板状である。光学部材３４は、発光モジュール１３３の光源１３３ａと対向する位置であり、発光モジュール１３３の光源１３３ａが発する主たる光の光軸（Ｘ軸プラス方向）上に設けられる。光学部材３４は、発光モジュール１３３と透光カバー３５との間に配置され、発光モジュール１３３と向かい合うように収容体３１の内部に固定される。光学部材３４は、取付部材１３１よりも収容体３１の内部のＸ軸プラス方向側に配置される。光学部材３４は、発光モジュール１３３が発する光を透光させ、透光した光を透光カバー３５に出射させる。
【００３７】
なお、光学部材３４は、発光モジュール１３３から入射された光を透光させて、光の向きを制御して光を出射させる配光制御機能を有していてもよい。例えば、光学部材３４は、フレネルレンズ等であってもよい。
【００３８】
透光カバー３５は、透光性の部材である。透光カバー３５は、例えばＰＭＭＡ、ポリカーボネート等の透明樹脂材料、又は、ガラス材料等の透明材料によって形成される。
【００３９】
透光カバー３５は、収容体３１の内部形状に応じた形状に形成され、平面視で略円形状である。透光カバー３５は、光を透光させる平板状のカバー部３５ａと、カバー部３５ａをＸ軸方向から平面視したときの外周端縁に形成され、カバー部３５ａから立上る部分である被係合部３５ｂとを有する。透光カバー３５の被係合部３５ｂが収容体３１の係合部と係合することで、透光カバー３５は、収容体３１に固定される。透光カバー３５は、光学部材３４、発光モジュール１３３、電源部３２等を収容した収容体３１の開口を封止する蓋の役割を果たす。
【００４０】
透光カバー３５は、光学部材３４と対向する位置、つまり、発光モジュール１３３の光源１３３ａが発する主たる光の光軸上に設けられる。透光カバー３５は、光学部材３４のＸ軸プラス方向側に配置され、光学部材３４と向かい合うように収容体３１の内部に固定される。透光カバー３５は、取付部材１３１よりも収容体３１の内部のＸ軸プラス方向側に配置される。透光カバー３５は、光学部材３４を透光した発光モジュール１３３が発する光をさらに透光させ、透光した光を灯具３の外側に出射させる。
【００４１】
なお、カバー部３５ａは、発光モジュール１３３から入射された光を拡散させる光拡散機能を有していてもよい。例えば、カバー部３５ａは、光拡散材が内部又は表面に分散された乳白色の部材、表面に微小な凹凸加工を施すことで形成した部材等であってもよい。
【００４２】
電源部３２は、発光モジュール１３３に電力を供給する電源回路が内蔵されたモジュールである。電源部３２に内蔵された電源回路は、電源部３２に接続された配線８２ａから供給された交流電流を直流電流に変換し、変換した直流電流を、リード線を介して発光モジュール１３３の光源１３３ａに供給する。
【００４３】
電源部３２は、取付部材１３１よりも収容体３１の内部のＸ軸マイナス方向側に配置される。つまり、電源部３２は、収容体３１内の底側（最も奥側）に収容され、取付部材１３１によって移動しないように保持される。すなわち、電源部３２のＸ軸プラス方向側の端部が取付部材１３１に支持され、取付部材１３１のＸ軸マイナス方向側の端部が収容体３１の内部の支持部３１ｆに支持される。
【００４４】
電源部３２は、取付部材１３１と対向し、かつ、取付部材１３１に近づくように突出する突出部１３２を有する。突出部１３２は、取付部材１３１と直接的又は間接的に係合する。突出部１３２が取付部材１３１と直接的又は間接的に係合することで、電源部３２と取付部材１３１との間には、空気層が形成される。これにより電源部３２の熱源となる電源回路は、取付部材１３１に対して離間して配置される。本実施の形態では、取付部材１３１の係止爪部１３１ｃに形成された第３ネジ孔１３１ｄに挿通されたネジ１４１と突出部１３２とが係合することで、突出部１３２が取付部材１３１と間接的に係合する。これにより、電源部３２は、筐体１５０内に所定の姿勢で保持される。なお、突出部１３２がなんら部材を介さずに直接的に取付部材１３１と係合してもよい。
【００４５】
図４は、実施の形態に係る照明装置１を例示するブロック図である。図４に示すように、照明装置１は、さらに、人感センサ９１と、照度センサ９２と、照明制御部３９とを備える。なお、照明装置１は、人感センサ９１及び照度センサ９２のうちの少なくとも一方を備えていればよく、照明装置１が人感センサ９１及び照度センサ９２の両方を備えることが必須の構成要件ではない。
【００４６】
［アーム部７］
アーム部７は、Ｚ軸方向に長尺の部材である。アーム部７は、一端部が筐体１５０の第２貫通孔１５２に接続され、かつ、他端部が灯具３に接続され、収容体３１を支持する。具体的には、アーム部７の一端部は、Ｚ軸方向の周方向に回動可能に、筐体１５０の第２貫通孔１５２に取り付けられる。つまり、アーム部７の一端部は、筐体１５０の第２貫通孔１５２の外部から内部に挿通される。また、アーム部７の他端部は、後述する灯具３を構成する収容体３１の支持アーム部の長手方向と直交する軸心の周方向に、回動可能に取り付けられる。
【００４７】
アーム部７の内部には、Ｚ軸方向に第１導通孔が形成される。第１導通孔は、筐体１５０の内部と連通する。第１導通孔には、配線８２ａが挿通され、配線８２ａによって電源部３２から発光モジュール１３３に電力が供給される。このように、配線８２ａが照明装置１の外部に露出しないため、配線８２ａの損傷が抑制される。
【００４８】
アーム部７は、金属製であり、例えば、アルミニウム、又は鉄等を主成分とした部材である。本実施の形態では、アーム部７は、例えばアルミダイカスト工程を経て形成される。
【００４９】
［取付板１６０］
取付板１６０は、設けられたスイッチボックス７１の開口と対向するようにパッキン８１を介して、造営材に取り付けられる。取付板１６０は、筐体１５０を所定の姿勢で固定するための固定板である。
【００５０】
図３は、図１のＩＩＩ−ＩＩＩ線における照明装置１の断面を例示する断面図である。具体的には、取付板１６０は、造営材に設けられたスイッチボックス７１の被締結部と締結されたネジ等の締結部材によって、スイッチボックス７１に固定される。取付板１６０は、円板状の平板である。取付板１６０は、例えば、アルミニウム、又は鉄等を主成分とした金属板、板状である樹脂製の部材等である。
【００５１】
図２Ａ及び図３に示すように、取付板１６０は、取付本体部１６１と、２つの第２係止部１６２とを有する。
【００５２】
取付本体部１６１は、パッキン８１を介してスイッチボックス７１に固定される。言い換えれば、取付本体部１６１は、造営材とでパッキン８１を挟むように、造営材の取付面に取り付けられる。
【００５３】
取付本体部１６１は、円板状の平板である。取付本体部１６１は、第１挿通孔１６５と、２つの第１貫通孔１６７とを有する。
【００５４】
第１挿通孔１６５は、スイッチボックス７１から引き出された配線８２等が挿通される。第１挿通孔１６５は、取付本体部１６１の中央部分に形成される。本実施の形態では、取付本体部１６１の中心軸は、第１挿通孔１６５の開口と交差する。
【００５５】
各々の第１貫通孔１６７は、取付板１６０をスイッチボックス７１に固定するための締結部材が挿通される。一方の第１貫通孔１６７は、第１挿通孔１６５と取付本体部１６１のＸ軸プラス方向の外周縁との間に形成され、他方の第１貫通孔１６７は、第１挿通孔１６５から一方の第１貫通孔１６７側とは反対側である、第１挿通孔１６５と取付本体部１６１のＸ軸マイナス方向の外周縁との間に形成される。なお、第１貫通孔１６７は３つ以上形成されていてもよい。
【００５６】
２つの第２係止部１６２は、取付本体部１６１に設けられ、取付本体部１６１と一体的に形成される。各々の第２係止部１６２は、取付本体部１６１の両端に形成される。具体的には、一方の第２係止部１６２は、取付本体部１６１のＹ軸プラス方向の外周縁と接する位置に形成され、他方の第２係止部１６２は、第１挿通孔１６５から一方の第２係止部１６２とは反対側の、取付本体部１６１のＹ軸マイナス方向の外周縁と接する位置に形成される。２つの第２係止部１６２を結ぶ直線と、２つの第１貫通孔１６７を結ぶ直線とは、略直交する。なお、第２係止部１６２は３つ以上形成されていてもよい。
【００５７】
各々の第２係止部１６２は、立上部１６２ａと、第１傾斜面部１６２ｂとを有する。
【００５８】
立上部１６２ａは、取付本体部１６１に対してＺ軸プラス方向に立上がる板状の壁である。立上部１６２ａは、第１傾斜面部１６２ｂの姿勢を支持する。
【００５９】
第１傾斜面部１６２ｂは、立上部１６２ａの先端から屈曲して取付本体部１６１の外周縁に向けて傾斜する板状の部材である。図３に示すように第１傾斜面部１６２ｂは、造営材の取付面と合わさる底面つまり取付板１６０の底面１６０ａに対して所定の角度で傾斜する。より具体的には、一対の第１傾斜面部１６２ｂは、Ｚ軸プラス方向からマイナス方向に向けて広がる方向に傾斜する。第１傾斜面部１６２ｂは、ネジ部材７０が締結される締結孔１６３が形成される。第１傾斜面部１６２ｂがＸ−Ｙ平面に対して傾斜している。そのため、ネジ部材７０が挿通される締結孔１６３の挿通方向は、取付板１６０の底面１６０ａに対して傾斜する。
【００６０】
筐体１５０は、発光モジュール１３３に電力を供給するための配線８２、８２ａが挿通される容器である。また、筐体１５０は、後述する人感センサ９１、後述する照度センサ９２等を収容する。筐体１５０は、金属製であり、例えば、アルミニウム、又は鉄等を主成分とした部材である。本実施の形態では、筐体１５０は、例えばアルミダイカスト工程を経て形成される。
【００６１】
筐体１５０は、板状部１５０ａと、側壁部１５０ｂとを有する。
【００６２】
板状部１５０ａは、平面視で略円形状の板状の部材である。側壁部１５０ｂは、板状部１５０ａの外周縁を囲むように、板状部１５０ａの外周縁から立上る壁状の部材である。
【００６３】
また、筐体１５０は、２つのネジ孔部１５１と、第２貫通孔１５２と、第３貫通孔１５３とを有する。
【００６４】
２つのネジ孔部１５１は、Ｙ軸方向における筐体１５０の側壁部１５０ｂの両側に形成される。具体的には、一方のネジ孔部１５１は、筐体１５０のＹ軸プラス方向の側壁部１５０ｂに形成され、他方のネジ孔部１５１は、板状部１５０ａの中心軸から一方のネジ孔部１５１とは反対側の、筐体１５０のＹ軸マイナス方向の側壁部１５０ｂに形成される。なお、ネジ孔部１５１は３つ以上形成されていてもよい。
【００６５】
ネジ孔部１５１は、取付板１６０の底面１６０ａに対して所定の角度で傾斜する第２傾斜面部を有する。第２傾斜面部は、第２挿通孔が形成される。第２挿通孔は、締結孔１６３と対向する。第２挿通孔には、締結孔１６３とともにネジ部材７０が挿通される。第２傾斜面部がＸ−Ｙ平面に対して傾斜しているため、ネジ部材７０が挿通される第２挿通孔の挿通方向は、取付板１６０の底面１６０ａに対して傾斜する。より具体的には、一対の第２傾斜面部は、Ｚ軸プラス方向からＺ軸マイナス方向に向かって広がる方向に傾斜する。本実施の形態では、第２傾斜面部の面と平行な直線がＸ−Ｙ平面に対して傾斜する傾斜角度は、第１傾斜面部１６２ｂの面と平行な直線がＸ−Ｙ平面に対して傾斜する傾斜角度と略同一である。また、第２傾斜面部の内側の面（筐体１５０の内側の面）と第１傾斜面部１６２ｂのＺ軸プラス方向側の面とが当接する。つまり、Ｚ軸マイナス方向から筐体１５０を平面視した場合に、第１傾斜面部１６２ｂとネジ孔部１５１の第２傾斜面部とは、重なっている。
【００６６】
また、ネジ孔部１５１は、筐体１５０の側壁部１５０ｂに形成される。ネジ孔部１５１は、側壁部１５０ｂの外周面から筐体１５０の中心軸に向かって凹む凹部である。ネジ孔部１５１には、取付板１６０と筐体１５０とを締結するネジ部材７０が設けられる。つまり、ネジ部材７０が取付板１６０と筐体１５０とを締結した状態で、Ｚ軸マイナス方向から筐体１５０を平面視した場合（正面から筐体１５０を視た場合）に、２つのネジ部材７０は、筐体１５０の側壁部１５０ｂの外周面から突出していない。つまり、２つのネジ部材７０は、ネジ孔部１５１に隠れて視認できない。
【００６７】
第２貫通孔１５２は、筐体１５０の板状部１５０ａに形成され、筐体１５０の内部とアーム部７の一端部が取付られる。第２貫通孔１５２には、発光モジュール１３３に電力を供給するための配線８２ａが挿通される。また、第２貫通孔１５２には、アーム部７の一端部（軸マイナス方向側の端部）が挿通され、アーム部７が回動可能に取り付けられる。
【００６８】
第３貫通孔１５３は、筐体１５０の側壁部１５０ｂに形成され、筐体１５０の内部と外部とを連通する。第３貫通孔１５３は、人感センサ９１のセンサ部分が露出する開口である。
【００６９】
［ネジ部材７０］
ネジ部材７０は、取付板１６０と筐体１５０とを締結するための、ネジ等の締結部材である。取付板１６０の底面１６０ａと平行な直線に対して傾斜するネジ部材７０の挿通方向と平行な直線とがなす角度で、ネジ部材７０が筐体１５０に挿通されることで、取付板１６０と筐体１５０とを締結する。ネジ部材７０の傾斜はネジ部材７０の頭部（ドライバと係合する部分）が筐体１５０から離れる方向（言い換えれば、Ｚ軸方向と平行な筐体１５０の中心軸から離れる方向）に傾斜している。また、取付板１６０の底面１６０ａに対する筐体１５０の高さ方向（Ｚ軸方向）において、ネジ部材７０は、取付板１６０の底面１６０ａ側から筐体１５０の高さの半分の位置までの間に配置される。つまり、第１傾斜面部１６２ｂ及び第２傾斜面部は、取付板１６０の底面１６０ａに対する筐体１５０の高さ方向において、取付板１６０の底面１６０ａ側の筐体１５０の端部から筐体１５０の高さの半分の位置までの間に配置される。
【００７０】
このため、ネジ部材７０の挿通方向と取付板１６０の底面１６０ａとの角度である角度は、約３５°〜約６０°である。特に、角度は、約４５°〜約５５°にすることが好ましい。
【００７１】
［人感センサ９１］
人感センサ９１は、照明装置１の周囲における人の存在の有無を検知するセンサである。人感センサ９１は、人の存在の有無を検知すると、検知結果を示す検知情報を照明制御部３９に送信する。
【００７２】
［照度センサ９２］
照度センサ９２は、照明装置１の周囲の照度を検知するための明るさセンサである。照度センサ９２は、周囲の明るさを検知すると、周囲の照度を示す照度情報を照明制御部３９に送信する。
【００７３】
［照明制御部３９］
照明制御部３９は、発光モジュール１３３の点灯及び消灯を制御するコントローラであり、例えば筐体１５０に収容される。照明制御部３９は、人感センサ９１から取得した検知情報に基づいて、発光モジュール１３３の点灯及び消灯を制御する。例えば、照明制御部３９は、人感センサ９１から検知情報を取得すると、発光モジュール１３３を点灯させる制御コマンドを電源部３２に送信したり、人感センサ９１から検知情報を取得すると、点灯している発光モジュール１３３を消灯させる制御コマンドを電源部３２に送信したりする。これにより、照明装置１は、人が存在すれば点灯し、人が存在しなくなれば消灯する。
【００７４】
また、照明制御部３９は、発光モジュール１３３の点灯状態を制御するコントローラでもある。照明制御部３９は、照度センサ９２から取得した照度情報に基づいて、発光モジュール１３３が発する光の明るさを制御する。例えば、照明制御部３９は、照度センサ９２から照度情報を取得すると、照度情報が示す明るさに応じて、発光モジュール１３３を点灯させる制御コマンドを電源部３２に送信する。具体的には、照度センサ９２の周囲が明るければ、発光モジュール１３３の発する光の光量が少ない制御コマンドを電源部３２に送信したり、照度センサ９２の周囲が暗ければ、発光モジュール１３３の発する光の光量が多い制御コマンドを電源部３２に送信したりする。これにより、照明装置１は、周囲の照度に応じて、明るく点灯したり僅かな明るさで点灯したりする。
【００７５】
［作用効果］
次に、本実施の形態における照明装置１の作用効果について説明する。
【００７６】
上述したように、本実施の形態に係る照明装置１は、有底筒状の１つの収容体３１と、収容体３１を支持するアーム部７と、収容体３１に収容される発光モジュール１３３と、発光モジュール１３３よりも収容体３１の底側に収容され、発光モジュール１３３に電力を供給する電源部３２と、発光モジュール１３３と電源部３２との間を仕切るように発光モジュール１３３及び電源部３２を保持し、かつ、収容体３１に保持される取付部材１３１とを備える。
【００７７】
従来の照明装置を屋外で使用した場合、この照明装置の灯具を構成する第１収容体と第２収容体との締結部分から水が浸入することがある。また、従来の照明装置では、パッキンを設けたりすることで、水の侵入を抑制している。しかし、この締結部分にパッキンを設けても、照明装置を組み立てる際に第１収容体と第２収容体との締結力が弱ければ、締結部分から水が浸入してしまうことがある。
【００７８】
しかしながら、この照明装置１では、発光モジュール１３３と電源部３２とを１つの収容体３１に収容することで、従来のような締結部分を無くすことができる。このため、この照明装置１では、従来の照明装置のような締結部分からの水の侵入を許すこともない。
【００７９】
したがって、この照明装置１では、防水性に優れる。
【００８０】
また、取付部材１３１は、発光モジュール１３３と電源部３２との間を仕切るように収容体３１に保持される。このため、電源部３２に生じた熱を取付部材１３１が遮熱することもできるため、電源部３２によって生じた熱が発光モジュール１３３の光源１３３ａに伝導され難い。
【００８１】
さらに、従来の照明装置のような締結部分は外部から視認されてしまう。このため、人が締結部分に違和感を覚えることで、照明装置の見栄えが悪くなってしまう。しかし、この照明装置１では、従来のような締結部分は存在しないため、照明装置１の見栄えがよい。
【００８２】
また、本実施の形態に係る照明装置１において、取付部材１３１の熱伝導率は、収容体３１の熱伝導率以上である。
【００８３】
このため、取付部材１３１は、発光モジュール１３３に生じた熱を収容体３１に伝導させることができるものの、収容体３１が熱くなり過ぎることを抑制することができる。
【００８４】
また、本実施の形態に係る照明装置１において、発光モジュール１３３は、光源１３３ａが実装され、かつ、取付部材１３１に保持される実装基板１３３ｂを有する。そして、取付部材１３１の熱伝導率は、実装基板１３３ｂの熱伝導率以上である。
【００８５】
このため、発光モジュール１３３に生じた熱を実装基板１３３ｂが取付部材１３１に効率的に伝導させることができる。
【００８６】
また、本実施の形態に係る照明装置１において、電源部３２は、取付部材１３１と対向し、かつ、取付部材１３１に近づくように突出する突出部１３２を有する。そして、突出部１３２が取付部材１３１と直接的又は間接的に係合することで、電源部３２と取付部材１３１との間には、空気層が形成される。
【００８７】
これによれば、電源部３２と取付部材１３１とが離間しているため、両者の間に空気層が形成される。これにより、電源部３２で生じた熱が取付部材１３１に伝導され難くなる。このため、取付部材１３１は、発光モジュール１３３の放熱効果を発揮し易くなる。
【００８８】
また、本実施の形態に係る照明装置１は、さらに、光源１３３ａが発する光を透過させる光学部材３４と、光学部材３４を透過した光が透過する透光カバー３５とを備える。
【００８９】
例えば、透光カバー３５に結露が生じたとしても、透光カバー３５と発光モジュール１３３との間に光学部材３４が配置されているため、透光カバー３５に付着した水が発光モジュール１３３に付着してしまうことを、光学部材３４が抑制することができる。このため、この照明装置１では、水により発光モジュール１３３が故障することを抑制することができる。
【００９０】
また、本実施の形態に係る照明装置１において、光学部材３４は、フレネルレンズである。
【００９１】
このため、単に凹レンズ又は凸レンズを用いる場合に比べて、光学部材３４の厚みを薄くすることができる。この結果、発光モジュール１３３から光学部材３４までの距離を短くすることができるため、照明装置１のさらなる小型化が可能となる。
【００９２】
また、本実施の形態に係る照明装置１は、さらに、人の存在の有無を検知する人感センサ９１、及び、周囲の照度を検知する照度センサ９２のうちの少なくとも一方と、発光モジュール１３３の点灯状態を制御する照明制御部３９とをさらに備える。また、人感センサ９１が人の存在の有無を検知した場合、照明制御部３９は、発光モジュール１３３の点灯及び消灯を制御する。そして、照度センサ９２が周囲の照度を検知した場合、照明制御部３９は、発光モジュール１３３が発する光の明るさを制御する。
【００９３】
この照明装置１は、例えばスポットライト、シーリングライト等の照明装置１に適用できる。
【００９４】
（その他変形例）
以上、本開示に係る照明装置について、実施の形態に基づいて説明したが、本開示は、上記の各実施の形態に限定されるものではない。
【００９５】
例えば、上記の各実施の形態において、電源部が収容体に収容されているがこれには限定されない。電源部は、筐体に収容されていてもよく、収容体及び筐体の外部に配置されていてもよい。
【００９６】
また、上記の各実施の形態において、照明制御部が筐体に収容されているがこれには限定されない。照明制御部は、収容体に収容されていてもよい。
【００９７】
なお、上記の各実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【符号の説明】
【００９８】
１  照明装置
７  アーム部
３１  収容体
３２  電源部
３４  光学部材
３５  透光カバー
３９  照明制御部
９１  人感センサ
９２  照度センサ
１３１  取付部材
１３３ａ  光源
Ｋ  空気層
【図１】
2020098729.tif 000003
【図２Ａ】
2020098729.tif 000004
【図２Ｂ】
2020098729.tif 000005
【図３】
2020098729.tif 000006
【図４】
2020098729.tif 000007